(57)【要約】【課題】上下方向に積層することで育成に必要な屋外スペースの面積を低減することができ、競技場の近隣地に広大な育成スペースが不要となる。【解決手段】分割フィールド３Ｂを搬入出可能なフィールド搬入部１４を有するとともに、自然光Ｋを内部に取り込み可能なように設けられたタワー部１０と、タワー部１０の上下方向に複数の段数で設けられ、各段において分割フィールド３Ｂを着脱可能に収納する収納保持部４と、タワー部１０内で分割フィールド３Ｂを上下移動させる揚重設備と、を備え、収納保持部４に収納された分割フィールド３Ｂは、少なくともタワー部１０から取り込まれた自然光Ｋが当たる状態で配置された構成で、天然芝フィールド３を有するアリーナ２の近傍に設置可能で、分割フィールド３Ｂを上下に配列させた状態で収納して育成する天然芝フィールド育成システムを提供する。【選択図】図１
2020115751.tif 000002
【特許請求の範囲】
【請求項１】
天然芝を有する天然芝フィールドを備えた競技場の近傍に設置可能で、複数に分割された分割フィールドを上下に配列させた状態で収納して育成するための天然芝フィールド育成システムであって、
前記分割フィールドを搬入出可能なフィールド搬入部を有するとともに、自然光を内部に取り込み可能なように設けられた建屋と、
該建屋の上下方向に複数の段数で設けられ、各段において前記分割フィールドを着脱可能に収納する収納保持部と、
前記建屋内で前記分割フィールドを上下移動させる揚重設備と、
を備え、
前記収納保持部に収納された前記分割フィールドは、少なくとも前記建屋から取り込まれた自然光が当たる状態で配置されていることを特徴とする天然芝フィールド育成システム。
【請求項２】
前記建屋の外壁の少なくとも一部は、自然光を透過する素材により形成されていることを特徴とする請求項１に記載の天然芝フィールド育成システム。
【請求項３】
前記建屋内において前記分割フィールドを載置可能なパレットが設けられていることを特徴とする請求項１又は２に記載の天然芝フィールド育成システム。
【請求項４】
前記建屋には、前記収納保持部に収納された前記分割フィールドに対して自然光を当てる自然光照射手段が設けられていることを特徴とする請求項１乃至３のいずれか１項に記載の天然芝フィールド育成システム。
【請求項５】
自然光照射手段は、自然光を前記収納保持部に収納された前記分割フィールドに向けて反射する反射装置であることを特徴とする請求項４に記載の天然芝フィールド育成システム。
【請求項６】
前記反射装置は、太陽の位置に合わせて傾斜角度が変動する追尾機構を有することを特徴とする請求項５に記載の天然芝フィールド育成システム。
【請求項７】
前記競技場は、前記分割フィールドを屋外との間で搬送可能な搬送路を有し、
前記建屋の前記フィールド搬入部は、前記競技場の前記搬送路に直接接続されていることを特徴とする請求項１乃至６のいずれか１項に記載の天然芝フィールド育成システム。
【請求項８】
前記収納保持部の段数は、前記天然芝フィールドの分割数よりも多いことを特徴とする請求項１乃至７のいずれか１項に記載の天然芝フィールド育成システム。
【請求項９】
前記建屋には、上下方向に設けられる複数段の床部が設けられ、
前記各床部には、上下に貫通するとともに前記分割フィールドを上下に通過可能な床開口部が設けられていることを特徴とする請求項１乃至８のいずれか１項に記載の天然芝フィールド育成システム。
【発明の詳細な説明】
【技術分野】
【０００１】
本発明は、天然芝フィールド育成システムに関する。
【背景技術】
【０００２】
従来、野球、サッカー、ラグビー、又はテニス等の競技を観覧するための観客席を備えた競技場として、グラウンド（ピッチ）に天然芝が植生されたものがある。このようなフィールドの天然芝は、一般的に温度、光、水、養分（肥料）、空気、土壌の要素がバランスよく適切な条件により良好に育成する必要がある。ところで、天然芝フィールドを有する多目的アリーナでは、上記競技以外の目的で使用すると、天然芝を傷めてしまうおそれがあった。
【０００３】
そこで、天然芝フィールドをアリーナの外の屋外へ移動させて、日照を確保して芝の育成が可能な設備が知られている（例えば、特許文献１、２参照）。特許文献１，２には、アリーナ内で競技が行われない場合には天然芝フィールドを全体、あるいは分割した状態でアリーナ外の屋外の芝育成スペースに搬送し、その芝育成スペースにおいて自然光の下で育成する方法について記載されている。この場合には、アリーナ内において天然芝フィールドを設置しない状態で他の目的で使用可能とすることができる。
【先行技術文献】
【特許文献】
【０００４】
【特許文献１】特開平４−３２７８６８号公報
【特許文献２】特開平７−４８９４０号公報
【発明の概要】
【発明が解決しようとする課題】
【０００５】
しかしながら、従来の特許文献１、２に示すようなアリーナ外の芝育成スペースに天然芝フィールドを搬送して育成する管理方法では、アリーナの近くに少なくとも天然芝フィールドと同等以上の広大な敷地面積が必要であり、屋外に十分なスペースが確保できないと育成を十分に行うことが難しいという問題があった。
【０００６】
本発明は、上述する問題点に鑑みてなされたもので、上下方向に積層することで育成に必要な屋外スペースの面積を低減することができ、競技場の近隣地に広大な育成スペースが不要となる天然芝フィールド育成システムを提供することを目的とする。
【課題を解決するための手段】
【０００７】
上記目的を達成するため、本発明に係る天然芝フィールド育成システムは、天然芝を有する天然芝フィールドを備えた競技場の近傍に設置可能で、複数に分割された分割フィールドを上下に配列させた状態で収納して育成するための天然芝フィールド育成システムであって、前記分割フィールドを搬入出可能なフィールド搬入部を有するとともに、自然光を内部に取り込み可能なように設けられた建屋と、該建屋の上下方向に複数の段数で設けられ、各段において前記分割フィールドを着脱可能に収納する収納保持部と、前記建屋内で前記分割フィールドを上下移動させる揚重設備と、を備え、前記収納保持部に収納された前記分割フィールドは、少なくとも前記建屋から取り込まれた自然光が当たる状態で配置されていることを特徴としている。
【０００８】
本発明に係る天然芝フィールド育成システムでは、天然芝フィールドを搬送可能な大きさに分割した全ての分割フィールドを建屋内に搬入し、揚重設備を使用して上下方向に複数段で縦置きに配列した状態で収納保持部に収納し、その縦置きの状態で収納された各分割フィールドに対して自然光を当てて天然芝を育成することができる。そして、分割フィールドを上下方向に積層することで建屋の必要建築面積を小さくすることができるので、競技場の近隣地に例えば競技場で使用する天然芝フィールドと同等の広大な設置スペースが不要となる。そのため、競技場の近くに天然芝フィールドの育成に必要な広大な敷地を確保することなく、例えば都市部において競技場を建設することが可能となる。
【０００９】
また、建屋内に各分割フィールドが収納された状態の屋内で天然芝を育成できるので、育成中の天然芝上に飛来したゴミが付着するようなことがなく、育成にかかる管理を容易に行うことができる。しかも、屋内で天然芝フィールドを育成できるので、自然光や通風量の管理がしやすく、さらに雪の影響を受けずに育成できるという利点がある。
さらに、アリーナ等の競技場の屋根に天然芝フィールドを揚重して育成する方法のように、アリーナの屋根との接続部分の遮音等の複雑な構造が不要なうえ、育成に必要な設備や作業を屋根上で行う必要がなく作業効率の向上を図ることができる。
【００１０】
また、本発明に係る天然芝フィールド育成システムは、前記建屋の外壁の少なくとも一部は、自然光を透過する素材により形成されていることが好ましい。
【００１１】
この場合には、建屋の外壁が例えばガラスや樹脂等の自然光の透過性を有する素材から形成されているので、その外壁から透過した自然光を収納保持部に収納されている分割フィールドに当てることができる。
また、この場合には、各分割フィールドの育成状態を建屋の外部から視認することも可能となる。
【００１２】
また、本発明に係る天然芝フィールド育成システムは、前記建屋内において前記分割フィールドを載置可能なパレットが設けられていることが好ましい。
【００１３】
この場合には、パレット上に分割フィールドが配置され、パレットとともに分割フィールドを搬送することができるので、パレットに対して搬送機構を設けることができる。例えば水平移動用の車輪や上下方向の搬送時の昇降機構等をパレットに装備することが可能となる。
また、パレットに天然芝の育成に必要な設備を装備しておくことで、上下の各段にパレットとともに分割フィールドを収納した状態で、パレットの直下に収納される分割フィールドに対して効果的に育成することができる。
【００１４】
また、本発明に係る天然芝フィールド育成システムは、前記建屋には、前記収納保持部に収納された前記分割フィールドに対して自然光を当てる自然光照射手段が設けられていてもよい。
【００１５】
この場合には、例えば太陽光を各分割フィールドの天然芝に対して照射することが可能な自然光照射手段を設けることで、収納保持部に収納されている分割フィールドに対してより効率よく自然光を当てることができる。
【００１６】
また、本発明に係る天然芝フィールド育成システムは、自然光照射手段は、自然光を前記収納保持部に収納された前記分割フィールドに向けて反射する反射装置であることを特徴としてもよい。
【００１７】
このような構成により、太陽光を反射装置に反射させて各分割フィールドの天然芝に向けて確実に照射することができ、収納保持部に収納されている分割フィールドに対してより効率よく自然光を当てることができる。
【００１８】
また、本発明に係る天然芝フィールド育成システムは、前記反射装置は、太陽の位置に合わせて傾斜角度が変動する追尾機構を有することを特徴としてもよい。
【００１９】
この場合には、太陽の移動に合わせて反射装置の追尾機構の傾斜角度を変動させて追尾させることができるので、太陽の向きに関わらず最適な量の自然光を各分割フィールドに当てることができる。
【００２０】
また、本発明に係る天然芝フィールド育成システムは、前記競技場は、前記分割フィールドを屋外との間で搬送可能な搬送路を有し、前記建屋の前記フィールド搬入部は、前記競技場の前記搬送路に直接接続されていることを特徴としてもよい。
【００２１】
この場合には、分割フィールドを搬送路を介して直接、競技場と建屋との間で搬送することができる。
【００２２】
また、本発明に係る天然芝フィールド育成システムは、前記収納保持部の段数は、前記天然芝フィールドの分割数よりも多いことを特徴としてもよい。
【００２３】
この場合には、空いている収納保持部において予備の分割フィールドを育成しておくことができるので、例えば病害虫等の天然芝に不測の事態が生じた場合であっても、予備の分割フィールドを使用することができる。
また、予備の収納保持部が設けられているので、苗種の異なる天然芝フィールドを育成し保有しておくことも可能となり、例えば季節、競技別などに応じた天然芝フィールドを使い分けることもできる。
【００２４】
また、本発明に係る天然芝フィールド育成システムは、前記建屋には、上下方向に設けられる複数段の床部が設けられ、前記各床部には、上下に貫通するとともに前記分割フィールドを上下に通過可能な床開口部が設けられていることを特徴としてもよい。
【００２５】
この場合には、各分割フィールドは床開口部を通過させて所定の収納保持部によって保持されて収納される。収納されている分割フィールドは、床開口部を形成する床部からアクセスが可能となるため、この床部を使用して育成にかかる管理を効率よく行うことができる。
【発明の効果】
【００２６】
本発明の天然芝フィールド育成システムによれば、上下方向に積層することで育成に必要な屋外スペースの面積を低減することができ、競技場の近隣地に広大な育成スペースが不要となる。
【図面の簡単な説明】
【００２７】
【図１】本発明の第１実施形態によるアリーナに設けられる天然芝フィールド育成システムの縦断面図である。
【図２】図１に示すアリーナと天然芝フィールド育成システムを上方から見た平面図であって、アリーナの屋根を省略した図である。
【図３】図１に示すＡ−Ａ線断面図で天然芝フィールド育成システムにおける建屋の縦断面図であって、分割フィールドの収納前の状態を示す図である。
【図４】図３に示す建屋の縦断面図であって、各収納保持部に分割フィールドを収納した状態を示す図である。
【図５】図４に示すＢ−Ｂ線断面図である。
【図６】図３に示すＣ−Ｃ線矢視図である。
【図７】建屋の搬入部を示す平面図である。
【図８】建屋の搬入部における分割フィールドの搬送状態を示す斜視図である。
【図９】第２実施形態による天然芝フィールド育成システムにおける建屋の縦断面図であって、図４に対応する図である。
【図１０】第３実施形態による天然芝フィールド育成システムにおける建屋の縦断面図であって、図４に対応する図である。
【図１１】第４実施形態による天然芝フィールド育成システムにおける建屋の縦断面図であって、図４に対応する図である。
【図１２】第５実施形態による天然芝フィールド育成システムにおける建屋の縦断面図である。
【発明を実施するための形態】
【００２８】
以下、本発明の実施形態による天然芝フィールド育成システムについて、図面に基づいて説明する。
【００２９】
（第１実施形態）
図１及び図２に示すように、本実施形態による天然芝フィールド育成システム１は、サッカーやラグビー等の競技用の天然芝フィールド３を有するアリーナ２（競技場）の近隣の一部のスペースに設置され、アリーナ２で使用する天然芝フィールド３をアリーナ２の外で育成する保守管理のためのシステムである。
【００３０】
天然芝フィールド３は、例えば鋼板からなる台板に基盤となる土壌層を設け、その土壌層に天然芝を密に植え込んで構成されている。
なお、本実施形態による天然芝フィールド育成システム１で育成する天然芝フィールド３の天然芝は、天然芝１００％のみではなく、天然芝と人工芝の融合させたハイブリッド芝であってもよい。
【００３１】
ここで、天然芝フィールド３において、アリーナ２のフィールド内に配置されている状態のものを符号「３Ａ」とし、天然芝フィールド３Ａを分割した状態の分割フィールドを符号「３Ｂ」でとし、それぞれ区別して用いる。
【００３２】
アリーナ２は、天然芝フィールド３Ａの周囲を囲む環状のスタンド２１と、スタンド２１の上方を覆う屋根２２と、を備えている。
スタンド２１は、階段式の観客席であって、天然芝フィールド３側から外側になるにつれて高くなるように構成されている。スタンド２１の外周上部には複数の屋根柱２３が配置されており、この屋根柱２３によって屋根２２が支持されている。
【００３３】
スタンド２１の一部には、スタンド２１を内外に連通して分割フィールド３Ｂを搬入出可能な搬送路２４が設けられている。搬送路２４のフィールド側の内側開口２４ａには、階段式の着脱式スタンド２１Ａが着脱自在に配置されている。着脱式スタンド２１Ａは、天然芝フィールド３を分割した分割フィールド３Ｂをアリーナ２の内外への搬送時に離脱することにより内側開口２４ａを開放する。
【００３４】
搬送路２４は、アリーナ２の隣接地に設置されている天然芝フィールド育成システム１のフィールド搬入部１４（後述する）に向けて延びる延長路２４ｃを有している。その延長路２４ｃが前述のフィールド搬入部１４に接続されている。搬送路２４には、アリーナ２のフィールドと天然芝フィールド育成システム１との間で、分割フィールド３Ｂを載置可能なパレット６を走行移動させるための搬送設備（後述するガイドレール１５）が設置されている。
【００３５】
屋根２２は、例えばトラス構造によって構成されており、スタンド２１の上方を覆うとともにアリーナ２内の天然芝フィールド３Ａの上方を開放した形状をなしている。
【００３６】
天然芝フィールド３Ａは、搬送可能な大きさに複数（図２では二点鎖線で示す１２分割）に縦横に分割されていて、アリーナ２内ではそれら分割された分割フィールド３Ｂを組み合わせた状態で配置されている。
天然芝フィールド３Ａは、本実施形態においてサッカー等の競技やイベントを行なう長方形状の領域を形成している。図２では、サッカー用のフィールドを示している。
【００３７】
図１及び図２に示すように、天然芝フィールド育成システム１は、アリーナ２の近隣地に設置され、搬送路２４の外側開口２４ｂに接続されている。
天然芝フィールド育成システム１は、図３乃至図５に示すように、分割フィールド３Ｂを搬入出可能なフィールド搬入部１４を有するとともに、自然光Ｋを内部に取り込み可能に設けられたタワー部１０（建屋）と、タワー部１０の上下方向に複数の段数で設けられ、各段において分割フィールド３Ｂを着脱可能に収納する収納保持部４（図３及び図４参照）と、タワー部１０内で分割フィールド３Ｂを上下移動させる揚重設備５（図５参照）と、を備えている。
【００３８】
また、本天然芝フィールド育成システム１では、搬送時に分割フィールド３Ｂを載置させて搬送するためのパレット６が設けられている。すなわち、分割フィールド３Ｂは、搬送時にパレット６に載置された状態で、搬送路２４（図１及図２参照）に沿って横移動することによりアリーナ２のフィールドとタワー部１０のフィールド搬入部１４との間で搬送され、かつタワー部１０において揚重設備５によって上下方向に搬送される。
【００３９】
パレット６は、平面視で分割フィールド３Ｂと略同形の矩形平板状の架台である（図８参照）。パレット６の下面には、図示しない車輪が設けられていて、後述する搬送路２４に敷設されるガイドレール１５に沿って横移動可能である。また、パレット６は、上述した図５に示す揚重設備５によって吊り上げ可能となっている。
【００４０】
タワー部１０は、図３乃至図５に示すように、地上から上方に向けて設置される外壁１１と、上下方向に設けられる複数段の床部１２と、地下部１３と、を備えている。
タワー部１０の天壁には、外壁１１の上端を覆う屋根１６が設けられている。各床部１２には、上下に貫通するとともに分割フィールド３Ｂを上下に通過可能な床開口部１２ａが設けられている。
【００４１】
床部１２は、上下方向に間隔をあけて設けられている。本実施形態では、パレット６と分割フィールド３Ｂとは平面視でほぼ同形状である。床開口部１２ａは、平面視で天然芝フィールド３Ｂより僅かに外形が大きな矩形状をなしている。
床部１２は、収納された分割フィールド３Ｂを育成するための設備が設けられ、分割フィールド３Ｂにアクセスする作業場や資材置き場として使用される。ここで、図６の符号Ｍは、分割フィールド３Ｂの育成に必要な照明等の資材を示している。
【００４２】
各床部１２に形成される床開口部１２ａには、その長辺部に沿って複数の支柱１７が設けられている。これら支柱１７は、タワー部１０の基礎から屋根１６まで延び、屋根１６および各床部１２を支持している。
収納保持部４は、図６に示すように、上方から見た平面視で床開口部１２ａの両長辺側の側縁部１２ｂに沿った位置に複数設けられ、パレット６を下方より保持する。
【００４３】
外壁１１は、自然光Ｋを透過するガラスや、例えば旭硝子社製のＥＴＦＥ（テトラフルオロエチレンとエチレン共重合体（４フッ化エチレン・エチレン共重合樹脂）等の素材により形成されている。これにより、収納保持部４に収納された各段の分割フィールド３Ｂは、少なくともタワー部１０から取り込まれた自然光Ｋが当たる状態で配置されている。
【００４４】
地下部１３には、図１に示すように、アリーナ２の搬送路２４に直接接続されるとともに、タワー部１０内で上下方向に貫通する床開口部１２ａ（図３参照）によって形成される上下貫通路に連通するフィールド搬入部１４が設けられている。
【００４５】
フィールド搬入部１４には、図７に示すように、搬送路２４に繋がるガイドレール１５（図５参照）が配置されている。ガイドレール１５は、アリーナ２の搬送路２４の内側まで連続して敷設され、分割フィールド３Ｂを載置させたパレット６を案内する。
【００４６】
フィールド搬入部１４には、図７及び図８に示すように、パレット６と共に分割フィールド３Ｂを揚重設備５で吊り上げための吊上げ領域である。フィールド搬入部１４の底盤１４ｂには、揚重設備５の後述するガーダー５２を収納する一対の凹溝１４ａが形成されている。フィールド搬入部１４に搬送されたパレット６は、凹溝１４ａ内に収納されたガーダー５２の上方に位置するように配置され、ガーダー５２を上昇させることでガーダー５２とともに下方から持ち上げられるようになっている。
【００４７】
揚重設備５は、図５に示すように、屋根１６の下面に設けられたワイヤ巻上げ装置５１と、ワイヤ５３の下端に設けられた一対のガーダー５２と、を有している。ガーダー５２は、パレット６の短辺の長さよりも大きな長尺部材からなり、その長手方向の両端それぞれにワイヤ５３が掛止されている。
【００４８】
収納保持部４は、図６及び図８に示すように、タワー部１０の支柱１７に設けられ、水平方向に向けて突出する係止片４２が床開口部１２ａの内方に突出するように設けられている。収納保持部４は、支柱１７の延在方向の軸線周りに回転可能に取り付けられる回転固定筒４１と、回転固定筒４１から外方に向けて突出した前記係止片４２と、を備えている。収納保持部４は、図示しない駆動装置により回転駆動する。
【００４９】
係止片４２は、床開口部１２ａの内方に突出する収納位置Ｐ１と、床開口部１２ａの内方に突出しない退避位置Ｐ０と、の間で回動可能に設けられている。収納位置Ｐ１は、係止片４２が上面視で床開口部１２ａの長辺に対して直交する方向に突出した位置である。係止片４２は、収納位置Ｐ１においてパレット６を下方から支持している。つまり、パレット６は、係止片４２が収納位置Ｐ１の状態で複数の係止片４２上に載置されて収納される。退避位置Ｐ０は、係止片４２が上面視で床開口部１２ａの長辺に対して平行に延ばされた位置であって、床部１２にパレット６を収容しない不使用時の位置となる。
【００５０】
このように構成される天然芝フィールド育成システム１では、上述したように自然光Ｋを外壁１１から収納される分割フィールド３Ｂに当てることによる設備以外に、天然芝の育成に必要な各種育成設備が設けられている。
このような育成設備として、例えば、換気通風設備、スプリンクラーやドライミスト噴霧装置等の散水調湿設備、放射パネル等の温度調節設備、グローライト等の人工照明設備、カメラ等のモニタリング設備が挙げられる。これらの育成設備は、床部１２に設けたり、パレット６に装備することができる。パレット６に育成設備を設けた場合には、上下の各床部１２にパレット６とともに分割フィールド３Ｂを収納した状態で、パレット６の直下に収納される分割フィールド３Ｂに対して育成設備の機能を発揮させることができる。
【００５１】
次に、上述した天然芝フィールド育成システム１を用い、分割フィールド３Ｂをアリーナ２のフィールド内からタワー部１０内に搬送して育成するまでの方法について、図面を用いて詳細に説明する。
先ず、図１及び図２に示すように、アリーナ２内の天然芝フィールド３Ａを育成する際には、複数の分割フィールド３Ｂをそれぞれパレット６に載置するとともに、着脱式スタンド２１Ａを取り外し、搬送路２４の内側開口２４ａを開放する。そして、分割フィールド３Ｂを載置させたパレット６を順次、搬送路２４内を移動させて天然芝フィールド育成システム１のフィールド搬入部１４に搬送する。このとき、図５、図７及び図８に示すように、フィールド搬入部１４では、パレット６が搬入される前に、揚重設備５のガーダー５２を底盤１４ｂの凹溝１４ａに収納させた状態で待機させておく。また、図６に示すように、各床部１２に設けられる収納保持部４の係止片４２を退避位置Ｐ０にしておく。
【００５２】
次に、図５に示すように、フィールド搬入部１４にパレット６が配置したときに、ワイヤ巻上げ装置５１でワイヤ５３を巻き上げることで、ガーダー５２とともにパレット６を吊り上げられる。そして、吊り上げたパレット６は、最上段の床部１２の床開口部１２ａから順次下方の床部１２へ収納保持部４に保持させて収納する。つまり、収納する位置の床部１２において、吊り上げたパレット６を床開口部１２ａよりも上方の位置まで一旦吊り上げ、図６に示すように、その収納位置に備えられている複数の収納保持部４の係止片４２を回動させて収納位置Ｐ１とする。
【００５３】
その後、吊り上げられているパレット６を下降させると、パレット６が床開口部１２ａの内側に突出している係止片４２上に載置され、ガーダー５２がパレット６から離れて、再びフィールド搬入部１４の凹溝１４ａに収納される位置まで下降させる。これにより、パレット６に載置された分割フィールド３Ｂが、所定位置に収納される。
そして、すべての分割フィールド３Ｂを収納保持部４によって収納し、タワー部１０内においてタワー部１０の外壁１１から透過される自然光Ｋを当てることにより育成が行われる。
【００５４】
なお、育成後にアリーナ２のフィールドに分割フィールド３Ｂを戻して天然芝フィールド３Ａとして配置する際には、分割フィールド３Ｂをタワー部１０内に搬入したときと逆の手順により行う。すなわち、先ず、最下段に収納されているパレット６を揚重設備５のガーダー５２で吊り上げ、その位置の床開口部１２ａの内側に突出している収納保持部４の係止片４２を収納位置Ｐ１から退避位置Ｐ０へ回動させる。そして、その床開口部１２ａに対して吊り上げているパレット６を下方に通過させてフィールド搬入部１４に吊り下ろし、搬送路２４を移動させてアリーナ２のフィールドの所定位置へ搬送する。この作業をタワー部１０内に収納されている分割フィールド３Ｂに対して繰り返し行うことでアリーナ２のフィールドに育成された天然芝フィールド３Ａを再び設置することができる。
【００５５】
次に、上述した天然芝フィールド育成システムの作用について、図面に基づいて詳細に説明する。
本実施形態による天然芝フィールド育成システム１では、図５に示すように、天然芝フィールド３を搬送可能な大きさに分割した全ての分割フィールド３Ｂをタワー部１０内に搬入し、揚重設備５を使用して上下方向に複数段で縦置きに配列した状態で収納保持部４に収納し、その縦置きの状態で収納された各分割フィールド３Ｂに対して自然光Ｋを当てて天然芝を育成することができる。
そして、タワー部１０の必要建築面積は、分割フィールド３Ｂを上下方向に積層することでタワー部１０の必要建築面積を小さくすることができる。具体的には、図２に示すように、タワー部１０の必要建築面積が１つの分割フィールド３Ｂを収納可能な面積に基づく大きさとなるので、アリーナ２の近隣地に例えばアリーナ２で使用する天然芝フィールド３Ａと同等の広大な設置スペースが不要となる。そのため、アリーナ２の近くに天然芝フィールド３の育成に必要な広大な敷地を確保することなく、例えば都市部において競技場を建設することが可能となる。
【００５６】
また、タワー部１０内に各分割フィールド３Ｂが収納された状態の屋内で天然芝を育成できるので、育成中の天然芝上に飛来したゴミが付着するようなことがなく、育成にかかる管理を容易に行うことができる。
しかも、屋内で天然芝フィールド３を育成できるので、自然光Ｋや通風量の管理がしやすく、さらに雪の影響を受けずに育成できるという利点がある。
さらに、アリーナ等の競技場の屋根に天然芝フィールドを揚重して育成する方法のように、アリーナ２の屋根との接続部分の遮音等の複雑な構造が不要なうえ、育成に必要な設備や作業を屋根上で行う必要がなく作業効率の向上を図ることができる。
【００５７】
また、本実施形態では、タワー部１０の外壁１１が例えばガラスや樹脂等の自然光Ｋの透過性を有する素材から形成されているので、その外壁１１から透過した自然光Ｋを収納保持部４に収納されている分割フィールド３Ｂの天然芝に当てることができる。
また、この場合には、各分割フィールド３Ｂの育成状態をタワー部１０の外部から視認することも可能となる。
【００５８】
さらに、本実施形態では、パレット６上に分割フィールド３Ｂが配置され、パレット６とともに分割フィールド３Ｂを搬送することができるので、パレット６に対して搬送機構を設けることができる。例えば水平移動用の車輪や上下方向の搬送時の昇降機構等をパレット６に装備することが可能となる。
さらにまた、本実施形態では、パレット６に天然芝の育成に必要な設備を装備しておくことで、上下の各段にパレット６とともに分割フィールド３Ｂを収納した状態で、パレット６の直下に収納される分割フィールド３Ｂに対して効果的に育成することができる。
【００５９】
また、本実施形態では、タワー部１０のフィールド搬入部１４がアリーナ２の搬送路２４に直接接続されているので、分割フィールド３Ｂを搬送路２４を介して直接、アリーナ２競技場と建屋との間で搬送することができる。
【００６０】
さらに、本実施形態では、各分割フィールド３Ｂは床部１２に形成される床開口部１２ａを通過させて所定の収納保持部４によって保持されて収納される。収納されている分割フィールド３Ｂは、床開口部１２ａを形成する床部１２からアクセスが可能とるため、この床部１２を使用して育成にかかる管理を効率よく行うことができる。
【００６１】
上述のように本実施形態による天然芝フィールド育成システム１では、上下方向に積層することで育成に必要な屋外スペースの面積を低減することができ、アリーナ２の近隣地に広大な育成スペースが不要となる。
【００６２】
次に、他の実施形態による天然芝フィールド育成システムについて説明する。なお、上述した第１実施形態の構成要素と同一機能を有する構成要素には同一符号を付し、これらについては、説明が重複するので詳しい説明は省略する。
【００６３】
（第２実施形態）
図９に示す第２実施形態による天然芝フィールド育成システム１Ａでは、タワー部１０の内側に収納保持部４に収納された分割フィールド３Ｂの天然芝に向けて太陽光からなる自然光Ｋを反射させて当てる反射装置７（自然光照射手段）を備えている。
反射装置７は、第１反射板７１を備え、分割フィールド３Ｂ毎に設けられている。そして、本実施形態では、パレット６の裏面にも第２反射板６１が設けられている。反射装置７の第１反射板７１でタワー部１０の外壁１１を透過した自然光Ｋを第２反射板６１に向けて反射させ、第２反射板６１で反射した自然光Ｋが当該パレット６の直下に位置する分割フィールド３Ｂの上面（天然芝）に当たるように配置されている。
【００６４】
第２実施形態では、自然光Ｋを反射装置７の第１反射板７１に反射させて、第２反射板６１を介して各分割フィールド３Ｂの天然芝に向けて確実に照射することができ、収納保持部４に収納されている分割フィールド３Ｂに対してより効率よく自然光Ｋを当てることができる。
【００６５】
（第３実施形態）
次に、図１０に示す第３実施形態による天然芝フィールド育成システム１Ｂは、上述した第２実施形態の反射装置７に加え、太陽の位置に合わせて第３反射板７２の傾斜角度が変動する追尾型反射装置７Ａ（追尾機構）を設けたものである。
追尾型反射装置７Ａは、タワー部１０の屋上に設けられ、太陽光の射す角度に応じて第３反射板７２が傾動し、常に太陽光を直接、反射装置７の第１反射板７１に向けて反射させる構成となっている。
【００６６】
第３実施形態では、太陽の移動に合わせて追尾型反射装置７Ａの第３反射板７２の傾斜角度を変動させて追尾させることができるので、太陽の向きに関わらず最適な量の自然光を各分割フィールド３Ｂの上面（天然芝）に当てることができる。
【００６７】
（第４実施形態）
次に、図１１に示す第４実施形態による天然芝フィールド育成システム１Ｃは、タワー部１０内に設けられる収納保持部４の段数を天然芝フィールド３の分割数（分割フィールド３Ｂの数量）よりも多く設けられたものである。つまり、第４実施形態では４つの予備の分割フィールド３Ｂ（図１１に示す二点鎖線の分割フィールド３Ｂ）の収納部がタワー部１０に設けられた構成であり、上述した第１実施形態のタワー部１０よりも収納保持部４が４段多く配置され、その分、タワー部１０の高さが高くなっている。
【００６８】
本第４実施形態では、空いている収納保持部４において予備の分割フィールド３Ｂを育成しておくことができるので、例えば病害虫等の天然芝に不測の事態が生じた場合であっても、予備の分割フィールド３Ｂを使用することができる。
また、予備の収納保持部４が設けられているので、苗種の異なる天然芝フィールド３を育成し保有しておくことも可能となり、例えば季節、競技別などに応じた天然芝フィールド３を使い分けることもできる。
【００６９】
（第５実施形態）
次に、図１２に示すように、第５実施形態による天然芝フィールド育成システム１Ｄは、タワー部１０内に収納保持部４を複数段配列した収納保持ユニット４Ａを２ユニット設けた構成となっている。
この場合には、上述した第１〜第４実施形態のタワー部１０に比べて設置面積は大きくなるがタワー部１０の高さを抑えることができる。
【００７０】
以上、本発明による天然芝フィールド育成システムの実施形態について説明したが、本発明は上記の実施形態に限定されるものではなく、その趣旨を逸脱しない範囲で適宜変更可能である。
【００７１】
例えば、本実施形態では、タワー部１０の外壁１１の少なくとも一部が自然光Ｋを透過する素材により形成しているが、このような素材であることに限定されることはなく、また自然光Ｋがタワー部１０の内部に取り込まれる構成に制限されることはない。例えば、屋根１６を自然光Ｋが透過可能な素材として建屋内部に取り込み、建屋内の反射部材を使用して屋根１６から取り入れた自然光Ｋを各分割フィールド３Ｂの天然芝に当たるような構成とすることも可能である。
【００７２】
また、本実施形態では、パレット６を使用し、パレット６に分割フィールド３Ｂを載置させてアリーナ２とタワー部１０との間の搬送路２４で搬送する構成や、タワー部１０の上下搬送を搬送する構成としているが、パレット６を用いることに限定されることはない。例えば分割フィールド３Ｂの下面に直接、例えば車輪や吊り上げ治具等の搬送設備を装備し、パレット６を省略するようにしてもよい。
【００７３】
さらに、本実施形態では、アリーナ２に搬送路２４を設け、その搬送路２４が直接、タワー部１０のフィールド搬入部１４に接続された構成としているが、このような搬送路２４によって双方が繋がっていない構成であってもかまわない。つまり、アリーナ２と天然芝フィールド育成システム１との間が離れていて、例えば車両や台車等を使用してアリーナ２のフィールドから分割フィールド３Ｂを天然芝フィールド育成システム１のフィールド搬入部１４との間で搬送させるようにしてもよい。
【００７４】
さらにまた、アリーナ２に設けられる搬送路２４の位置や構造についてもとくに制限されることはない。つまり、本実施形態のような、スタンド２１の一部を着脱可能とした着脱スタンド２１Ａを設け、着脱スタンド２１Ａを取り外した状態で搬送路２４の内側開口２４ａを開放する構成に限定されず、例えばアリーナ２のフィールドの地下に屋外に連絡する搬送路を設ける構成であってもよい。
【００７５】
また、反射装置７（自然光照射手段）や追尾型反射装置（追尾機構）の構成、設置位置、数量等は、上述した実施形態に限定されることはなく、適宜設定することができる。
【００７６】
さらに、本実施形態では、タワー部１０において床開口部１２ａを形成した床部１２が上下方向に複数段で設けられているが、この床部１２を省略することも可能である。すなわち、収納保持部４のみが上下方向に複数段で配置されるようなストック設備であってもよい。
【００７７】
また、天然芝フィールド育成システムの建屋内における分割フィールドの積層方法についても、上述した第１実施形態や第５実施形態のように分割フィールド３Ｂが上方からみて横にずれることなく、各分割フィールドの中心が同軸上に一致した状態で上下に重なるように配置される方法に限定されることはない。
例えば、建屋内で上下方向に複数段に収納される分割フィールドを順次、水平方向にずらした状態で積層して配置してもよい。この場合には、各分割フィールドの天然芝の上方にさらに上側の分割フィールドが重ならない領域が形成されるので、各分割フィールドの天然芝により効率よく自然光を当てることができる。
【００７８】
また、収納保持部４の構成や揚重設備５の構成についても、上述した実施形態に限定されることはなく、他の構成のものを採用してもよい。例えば、収納保持部として、上記実施形態のように係止片４２を回転させることにより床開口部１２ａの内側に係止片４２を突出させて、その突出した係止片４２上にパレット６を載置させる構成に限定されることはない。シリンダ等を伸縮させる機構を採用した突出片を備えた収納保持部であってもかまわない。
【００７９】
また、天然芝フィールド育成システムを適用する競技場として上述した実施形態のアリーナ２に限定されることはなく、他の形状、構造の競技場であってもかまわない。例えば、上記の実施形態のアリーナ２では、屋根２２における天然芝フィールド３Ａの上方が開放された構成としているが、非開放型の屋根や開閉式の屋根であってもよい。
【００８０】
その他、本発明の趣旨を逸脱しない範囲で、上記した実施形態における構成要素を周知の構成要素に置き換えることは適宜可能である。
【符号の説明】
【００８１】
１、１Ａ、１Ｂ、１Ｃ、１Ｄ  天然芝フィールド育成システム
２  アリーナ（競技場）
３、３Ａ  天然芝フィールド
３Ｂ  分割フィールド
４  収納保持部
５  揚重設備
６  パレット
７  反射装置（自然光照射手段）
７Ａ  追尾型反射装置（追尾機構）
１０  タワー部（建屋）
１１  外壁
１２  床部
１２ａ  床開口部
１４  フィールド搬入部
１４ａ  凹溝
１５  ガイドレール
２４  搬送路
２４ａ  内側開口
４２  係止片
５２  ガーダー
６１  第２反射板
７１  第１反射板
Ｋ  自然光
Ｐ０  退避位置
Ｐ１  収納位置
【図１】
2020115751.tif 000003
【図２】
2020115751.tif 000004
【図３】
2020115751.tif 000005
【図４】
2020115751.tif 000006
【図５】
2020115751.tif 000007
【図６】
2020115751.tif 000008
【図７】
2020115751.tif 000009
【図８】
2020115751.tif 000010
【図９】
2020115751.tif 000011
【図１０】
2020115751.tif 000012
【図１１】
2020115751.tif 000013
【図１２】
2020115751.tif 000014